(57)【要約】【課題】釣り用リールのハンドル組立体において、ハンドルの操作性を維持しながら、ハンドル長さを確実に変更できるようにする。【解決手段】ハンドル組立体２は、ハンドル軸の先端に回転不能に装着されたハンドルアーム６と、ハンドルアーム６の一端に回転不能に取り付けられたケース部材２１と、ケース部材２１に収納されハンドル軸の回転軸芯Ｈに沿った回転軸芯Ｘに対して回転可能な回転部材２０と、ケース部材２１に装着され回転部材２０を複数の位置で回転不能に押圧固定する蓋部材２２と、ケース部材２１と回転部材２０との間に配置された皿ばね２３と、回転部材２０の回転軸芯Ｘに対して偏芯した位置にハンドル軸の回転軸芯Ｈに沿った軸芯Ｙ１に沿って立設された把手軸８と、把手軸８に回転自在に支持されたハンドル把手７とを有している。【選択図】      図４
2005013155.tif 000002
【特許請求の範囲】
【請求項１】
釣り用リールに装着されるハンドル組立体であって、
第１軸部の先端が装着されるハンドルアームと、
前記ハンドルアームの先端に前記第１軸部に沿う回転軸芯に対して回転可能に装着され、前記回転軸芯に対して偏芯した位置に前記第１軸部に沿って第２軸部が装着される回転部材と、
前記回転部材を複数の位置で前記ハンドルアームに回転不能に固定する固定手段と、
を備えた釣り用リールのハンドル組立体。
【請求項２】
前記第１軸部は、ハンドル軸であって、
前記第２軸部は、ハンドル把手が支持される把手軸である、請求項１に記載の釣り用リールのハンドル組立体。
【請求項３】
前記第１軸部は、ハンドル把手が支持される把手軸であって、
前記第２軸部は、ハンドル軸である、請求項１に記載の釣り用リールのハンドル組立体。
【請求項４】
前記固定手段は、
前記ハンドルアームに設けられ、前記回転部材を回転可能に収納するケース部材と、
前記ケース部材に装着され、前記ケース部材に収納された前記回転部材を回転不能に押圧固定する蓋部材とを有している、請求項１から３に記載の釣り用リールのハンドル組立体。
【請求項５】
前記固定手段は、前記回転部材を前記回転軸芯方向に移動させることにより、固定又は固定解除される、請求項１から４のいずれかに記載の釣り用リールのハンドル組立体。
【請求項６】
前記ケース部材は、外周部に雄ねじ部が形成されており、
前記蓋部材は、内周部に前記雄ねじ部に螺合する雌ねじ部が形成されている、請求項５に記載の釣り用リールのハンドル組立体。
【請求項７】
前記蓋部材の外径は、前記回転軸芯周辺の前記ハンドルアームの幅長より大径に形成されている、請求項４から６のいずれかに記載の釣り用リールのハンドル組立体。
【請求項８】
前記蓋部材は、前記ケース部材に収納された前記回転部材の少なくとも一部が露出するように開口する開口部を有している、請求項４から７のいずれかに記載の釣り用リールのハンドル組立体。
【請求項９】
前記回転部材は、装着側が小径となる略円錐台形状部材であり、
前記ケース部材は、前記回転部材が収納され、開口側が大径となる略円錐台形状の空間を有する皿状部材である、請求項４から８のいずれかに記載の釣り用リールのハンドル組立体。
【請求項１０】
前記回転部材の円錐角度は、１７．５度以上４５度以下の範囲、望ましくは２０度以上３０度以下の範囲である、請求項９に記載の釣り用リールのハンドル組立体。
【請求項１１】
前記回転部材は、外周部の装着方向に沿って周方向に並べて形成された複数の係合部を有しており、
前記ケース部材は、前記複数の係合部が係合し、内周部の前記回転部材の装着方向に沿って周方向に並べて形成された複数の被係合部を有している、請求項４から１０のいずれかに記載の釣り用リールのハンドル組立体。
【請求項１２】
前記固定手段は、前記ケース部材と前記回転部材との間に配置され、前記回転部材を前記蓋部材方向に付勢する付勢部材をさらに有している、請求項４から１１のいずれかに記載の釣り用リールのハンドル組立体。
【請求項１３】
前記回転部材は、一端が前記ハンドルアームの先端に装着され、他端に前記把手軸が装着される板状のアーム部材である、請求項２に記載の釣り用リールのハンドル組立体。
【発明の詳細な説明】
【０００１】
【発明の属する技術分野】
本発明は、ハンドル組立体、特に、釣り用リールのハンドル軸の先端に回転不能に装着されるハンドル組立体に関する。
【０００２】
【従来の技術】
スピニングリールや、両軸受リールや、片軸受リール等の釣り用リールのハンドル軸の先端には、スプールを回転させるためのハンドル組立体が固定されている。ハンドル組立体は、ハンドル軸の先端に回転不能に装着されたハンドルアームと、ハンドルアームの先端に固定された把手軸と、把手軸に回転自在に装着されたハンドル把手とを有している。
【０００３】
このようなハンドル組立体では、釣りに使用するおもりの重さや釣り糸の号数によってハンドル軸とハンドル把手との間の長さ（以下、ハンドル長さという）を変更できると、ジギングやトローリングを行う際に便利である。たとえば、ジギングのようにすばやく巻き上げたいときにはハンドル長さを短くし、小さい力でハンドルを高速回転することができる。また、トローリングのように巻き上げ力を大きくしたいときにはハンドル長さを長くし、大きいトルクでハンドルを回転することができる。
【０００４】
このようなハンドル長さの変更可能なハンドル組立体では、たとえばハンドルアームの長手方向に沿って形成された長孔にハンドル軸をスライドさせることにより、ハンドル長さを変更できるようにしたものが知られている（たとえば、特許文献１参照）。このハンドル組立体では、ハンドル軸の先端には、ハンドル軸をハンドルアームにねじ込み固定するための雌ねじ部を有する調節部材が装着されており、ハンドルアームには、長孔を挟んで対になるように所定間隔をあけて複数箇所に溝状の係止部が形成されている。ここでは、ハンドルを糸巻き取り方向と反対方向に回転操作すると、ハンドル軸はワンウェイクラッチにより反対方向の回転が規制されているので、調節部材の雌ねじ部が緩み、調節部材はハンドル軸から外れる方向に移動する。このように、調節部材が係止部から外れるとハンドルアームがスライド可能となり、ハンドルアームをスライドさせて調節部材を所望の位置の係止部に係止して雌ねじ部をハンドル軸の先端に固定することにより、ハンドル軸をハンドルアームの所望の位置に固定できる。このため、ハンドル軸から最も近接した係止部に調節部材を係止したときは、ハンドル長さが最も短くなり、ハンドルを高速回転できる。また、ハンドル軸から最も離反した係止部に調節部材を係止したときは、ハンドル長さが最も長くなり、大きいトルクでハンドルを回転できる。
【０００５】
【特許文献１】
特開２００３−１４４０２２号公報
【０００６】
【発明が解決しようとする課題】
前記従来のハンドル組立体では、ハンドルを反対方向に回転操作することにより、ハンドル長さの変更を行っている。しかし、実釣時には、ジギング等のハンドルの回転操作及び停止操作を繰り返すしゃくり操作を行うことがあるが、このようなしゃくり操作を行うと、ハンドルを回転操作から停止操作した際、慣性力によりハンドル軸は回転し続けようとする。このとき、調節部材が係止されたハンドルは釣人が握持して停止した状態となっているので、ハンドル軸にねじ込み固定された調節部材の雌ねじ部が緩んでしまうことがある。このように調節部材の雌ねじ部が緩むと、ハンドルの滑らかな回転を阻害し、ハンドルの操作性を著しく低下させるおそれが生じる。
【０００７】
本発明の課題は、釣り用リールのハンドル組立体において、ハンドルの操作性を維持しながら、ハンドル長さを確実に変更できるようにすることにある。
【０００８】
【課題を解決するための手段】
発明１に係る釣り用リールのハンドル組立体は、釣り用リールに装着されるハンドル組立体であって、第１軸部の先端が装着されるハンドルアームと、ハンドルアームの先端に第１軸部に沿う回転軸芯に対して回転可能に装着され回転軸芯に対して偏芯した位置に第１軸部に沿って第２軸部が装着される回転部材と、回転部材を複数の位置でハンドルアームに回転不能に固定する固定手段とを備えている。
【０００９】
このハンドル組立体では、たとえば第１軸部をハンドル軸、第２軸部をハンドル把手が支持される把手軸とすると、ハンドル長さは第１軸部と第２軸部との間の長さに相当している。ここで、ハンドル長さを変更するときには、ハンドルアームの先端に設けられた回転部材を第２軸部（把手軸）が釣人の適した位置になるように回転させ、固定手段により複数の位置の所望の位置で回転部材を固定する。ここでは、回転部材を所望の位置で固定することにより、ハンドルの操作性を維持しながら、釣人が所望する最適なハンドル長さに確実に変更することができる。
【００１０】
発明２に係る釣り用リールのハンドル組立体は、発明１のハンドル組立体において、第１軸部は、ハンドル軸である。第２軸部は、ハンドル把手が支持される把手軸である。このハンドル組立体は、ハンドル軸の先端に装着されるハンドルアームと、ハンドルアームの先端にハンドル軸に沿う回転軸芯に対して回転可能に装着された回転部材と、回転部材を複数の位置でハンドルアームに回転不能に固定する固定手段と、回転部材の回転軸芯に対して偏芯した位置にハンドル軸に沿って装着された把手軸と、把手軸に支持されたハンドル把手とを備えている。
【００１１】
このハンドル組立体では、ハンドル長さを変更するときには、ハンドルアームの先端に設けられた回転部材を把手軸が釣人の適した位置になるように回転させ、固定手段により所望の位置で回転部材を固定する。ここでは、回転部材を複数の位置で固定する固定手段を有しているので、把手軸の回転直径分の範囲において、回転部材に設けられた把手軸を所望の位置に固定でき、ハンドルの操作性を維持しながら、釣人が所望する最適なハンドル長さに確実に変更できる。
【００１２】
発明３に係る釣り用リールのハンドル組立体は、発明１のハンドル組立体において、第１軸部は、ハンドル把手が支持される把手軸である。第２軸部は、ハンドル軸である。このハンドル組立体は、ハンドルアームと、ハンドル軸の先端がハンドル軸に沿う回転軸芯に対して偏芯した位置に装着されハンドルアームに回転可能に装着された回転部材と、回転部材を複数の位置でハンドルアームに回転不能に固定する固定手段と、ハンドルアームの先端にハンドル軸に沿って装着された把手軸と、把手軸に支持されたハンドル把手とを備えている。
【００１３】
このハンドル組立体では、ハンドル長さを変更するときには、ハンドル軸の先端が装着された回転部材を、ハンドルアームの先端に装着された把手軸が釣人の適した位置になるように回転させ、固定手段により複数の位置で回転部材を固定する。ここでは、回転部材を所定の位置で固定する固定手段を有しているので、ハンドル軸の回転直径分の範囲において、回転部材に設けられたハンドル軸を所望の位置に固定でき、ハンドルの操作性を維持しながら、釣人が所望する最適なハンドル長さに確実に変更できる。
【００１４】
発明４に係るハンドル組立体は、発明１から３のいずれかのハンドル組立体において、固定手段は、ハンドルアームに設けられ回転部材を回転可能に収納するケース部材と、ケース部材に装着されケース部材に収納された回転部材を回転不能に押圧固定する蓋部材とを有している。この場合、たとえば回転部材が円板部材である場合、外形が円形の皿状のケース部材に、回転部材の表面がケース部材の端面と略同一となるように装着し、この状態で回転部材の表面を押圧するようにキャップ形状の蓋部材を装着することにより、回転部材の固定が確実に行える。また、回転部材は、蓋部材によりケース部材に押圧固定されているので、他の特別な工具を用いることなく、いつでも瞬時にハンドル長さを変更することができる。
【００１５】
発明５に係るハンドル組立体は、発明１から４のいずれかのハンドル組立体において、固定手段は、回転部材を回転軸芯方向に移動させることにより、固定又は固定解除される。この場合、たとえば回転部材の装着方向に向けて回転部材を回転軸芯方向に移動させて固定状態とし、回転部材の離反方向に向けて回転部材を回転軸芯方向に移動させて固定解除状態とすることにより、回転部材の固定及び固定解除が容易になる。
【００１６】
発明６に係るハンドル組立体は、発明５のハンドル組立体において、ケース部材は、外周部に雄ねじ部が形成されている。蓋部材は、内周部に雄ねじ部に螺合する雌ねじ部が形成されている。この場合、ケース部材に形成された雄ねじ部に蓋部材に形成された雌ねじ部を螺合することにより、蓋部材を完全に取り外すことなく回転部材の固定及び固定解除の切り換えを容易に行える。
【００１７】
発明７に係るハンドル組立体は、発明４から６のいずれかのハンドル組立体において、蓋部材の外径は、回転軸芯周辺のハンドルアームの幅長より大径に形成されている。この場合、回転部材に装着される把手軸やハンドル軸の回転半径を大きくできるので、ハンドル長さを広範囲で変更できる。
【００１８】
発明８に係るハンドル組立体は、発明４から７のいずれかのハンドル組立体において、蓋部材は、ケース部材に収納された回転部材の少なくとも一部が露出するように開口する開口部を有している。この場合、たとえばキャップ状の蓋部材の中央部が開口し、回転部材に装着される把手軸やハンドル軸が露出可能な開口部を設けることにより、蓋部材をケース部材に装着して状態で回転部材を回転できる。
【００１９】
発明９に係るハンドル組立体は、発明４から８のいずれかのハンドル組立体において、回転部材は、装着側が小径となる略円錐台形状部材である。ケース部材は、回転部材が収納され、開口側が大径となる略円錐台形状の空間を有する皿状部材である。この場合、回転部材及びケース部材の空間を略円錐台形状に形成することにより、少ない移動量で回転部材の固定及び固定解除が行える。
【００２０】
発明１０に係るハンドル組立体は、発明９のハンドル組立体において、回転部材の円錐角度は、１７．５度以上４５度以下の範囲、望ましくは２０度以上３０度以下の範囲である。この場合、回転部材の円錐角度を回転部材の摩擦角度以上である１７．５度以上４５度以下の範囲、望ましくは２０度以上３０度以下の範囲に設定することにより、回転部材のがたつきを抑えるとともに、回転部材の食らいつきを防止できる。
【００２１】
発明１１に係るハンドル組立体は、発明４から１０のいずれかのハンドル組立体において、回転部材は、外周部の装着方向に沿って周方向に並べて形成された複数の係合部を有している。ケース部材は、複数の係合部が係合し、内周部の回転部材の装着方向に沿って周方向に並べて形成された複数の被係合部を有している。この場合、ケース部材の被係合部に回転部材の係合部を係合することにより、回転部材が不用意に回転するのを防止するとともに、回転部材の固定を確実にすることができる。なお、複数の係合部及び被係合部の数は任意に設定でき、回転部材の固定位置、すなわちハンドル長さを任意に設定できる。たとえば、係合部及び被係合部を４箇所ずつ設け、４５度おきに回転部材を固定できるようにしてもよい。
【００２２】
発明１２に係るハンドル組立体は、発明４から１１のいずれかのハンドル組立体において、固定手段は、ケース部材と回転部材との間に配置され、回転部材を蓋部材方向に付勢する付勢部材をさらに有している。この場合、たとえば皿ばね等の付勢部材を設けることにより、蓋部材の着脱が容易になる。
【００２３】
発明１３に係るハンドル組立体は、発明２のハンドル組立体において、回転部材は、一端が前記ハンドルアームの先端に装着され、他端に把手軸が装着される板状のアーム部材である。この場合、容易な構成でハンドル長さを確実に変更できる。
【００２４】
【発明の実施の形態】
本発明の一実施形態を採用した両軸受リールは、図１に示すように、シングルハンドルタイプの丸型リールであり、リール本体１と、リール本体１の側方に配置されたスプール回転用のハンドル組立体２と、ハンドル組立体２のリール本体１側に配置されたスタードラグ３とを備えている。
【００２５】
リール本体１には、図１に示すように、釣り糸を巻き取りあるいは繰り出すためのスプール１５が回転自在に装着され、竿取付脚４を介して釣竿Ｒに取り付けられている。リール本体１は、図２に示すように、所定の間隔をあけて配置された左右１対の第１側板１０及び第２側板１１と第１側板１０及び第２側板１１を連結する複数の連結部材１２とを有するフレーム５と、フレーム５の両側方に装着された第１側カバー１３及び第２側カバー１４と、第２側カバー１４に装着された機構装着板１６とを有している。機構装着板１６は第２側板１１に接触して配置され、機構装着板１６と第２側カバー１４との間には、各種機構を収納するための空間が形成されている。また、リール本体１の第２側カバー１４後方には、図示しないクラッチ機構を操作するためのクラッチレバー４０が揺動自在に装着されている。
【００２６】
フレーム５は、ダイキャスト成形により得られ、第２側カバー１４は金属薄板をプレス成形して得られる。第１側板１０及び第２側板１１、第１側カバー１３は、それぞれ側面から見て円形をなしており、外周面はたとえば旋盤等を用いて機械加工されている。第２側カバー１４及び機構装着板１６は、図２及び図３に示すように、側面から見て円形の一部が径方向に突出した形状である。第２側カバー１４は、ハンドル軸３０（第１軸部の一例、図２参照）の装着部分を中心に軸方向外方にも膨出している。
【００２７】
連結部材１２は、第１側板１０及び第２側板１１の外周に沿う形状で第１側板１０及び第２側板１１と一体成形された板状の部材であり、たとえばリール本体１の後部と下部と上部との３か所で第１側板１０及び第２側板１１を連結している。この連結部材１２の外周部と第１側板１０及び第２側板１１とは、第１側カバー１３と同様に、一体的に機械加工されている。下部の連結部材１２には竿取付脚４が固定され、後部の連結部材１２には合成樹脂製のサムレスト１７が装着されている。
【００２８】
ハンドル組立体２は、図１から図６に示すように、ハンドル軸３０の先端に回転不能に装着されたハンドルアーム６と、ハンドルアーム６の一端に回転不能に取り付けられたケース部材２１（図４及び図５参照）と、ケース部材２１に収納されハンドル軸３０の回転軸芯Ｈに沿った回転軸芯Ｘに対して回転可能な回転部材２０と、ケース部材２１に装着され回転部材２０を複数の位置で回転不能に押圧固定する蓋部材２２と、ケース部材２１と回転部材２０との間に配置された皿ばね２３（図４及び図５参照）と、回転部材２０の回転軸芯Ｘに対して偏芯した位置にハンドル軸３０の回転軸芯Ｈに沿った軸芯Ｙ１に沿って立設された把手軸８（第２軸部の一例）と、把手軸８に回転自在に支持されたハンドル把手７とを有している。
【００２９】
ハンドルアーム６は、図１から図３に示すように、ハンドル軸３０の径方向に延びる平板状の金属製の部材である。ハンドルアーム６は、図２に示すように、ハンドル軸３０の先端に形成された面取り部３０ａに回転不能に係止されており、固定ナット３０ｂによりハンドル軸３０に着脱自在に固定されている。ハンドルアーム６は、固定部分６ａからハンドル把手７の基端部に向かう途中の第１位置６ｂでリール本体１に近づく方向に屈曲している。また、ハンドルアーム６は、第１位置６ｂからハンドル把手７の基端部に向かう途中の第２位置６ｃで第１位置６ｂと逆方向に屈曲しており、第２位置６ｃでの屈曲角度は第１位置６ｂでの屈曲角度と同一である。このため、ハンドルアーム６の第１位置６ｂまでの部分と第２位置６ｃから先端部までの部分とが平行に配置される。
【００３０】
ケース部材２１は、ハンドルアーム６の一端に回転不能に取り付けられ、開口側が大径となる略円錐台形状の空間を有する金属製の皿状部材である。ケース部材２１は、図４及び図５に示すように、４本のねじ部材２４を装着することにより、ケース部材２１の底部分においてケース部材２１側からハンドルアーム６に固定されている。ねじ部材２４の頭部は、ケース部材２１の底部分と面一になるように挿入されている。ケース部材２１の内周面は、回転部材２０の装着方向に沿って周方向に並べて形成された複数の凹凸部２１ａ（被係合部の一例）を有している。また、ケース部材２１の外周面は、蓋部材２２を取り付けるための雄ねじ部２１ｂが形成されている。
【００３１】
皿ばね２３は、図４及び図５に示すように、ケース部材２１と回転部材２０との間に配置された金属製のばね部材である。皿ばね２３は、回転部材２０を蓋部材２２方向に付勢している。
【００３２】
回転部材２０は、図１から図６に示すように、回転軸芯Ｘに対して回転可能にケース部材２１に装着されている。回転部材２０は、装着側が小径となる金属製の略円錐台形状部材である。回転部材２０の円錐角度は、１７．５度以上４５度以下の範囲、望ましくは２０度以上３０度以下の範囲である。このため、回転部材２０のがたつきを抑えるとともに、回転部材２０の食らいつきを防止できる。回転部材２０の外周面は、図４及び図５に示すように、回転部材２０の装着方向に沿って周方向に並べて形成され、ケース部材２１に装着したときケース部材２１の複数の凹凸部２１ａに回転不能に係合する複数の凹凸部２０ａ（係合部の一例）を有している。ここでは、ケース部材２１の凹凸部２１ａに回転部材２０の凹凸部２０ａをセレーション係合させることにより、蓋部材２２を回転部材２０に押圧させることにより、回転部材２０を回転不能にできる。さらに、回転部材２０の外周及びケース部材２１の内周の形状が略円錐台形状に形成されているので、回転部材２０を回転軸芯Ｘ方向に僅かに移動させるだけでケース部材２１の凹凸部２１ａに回転部材２０の凹凸部２０ａを係合及び係合解除の切り換えを容易に行える。したがって、回転部材２０の固定及び固定解除が容易になる。また、回転部材２０は、皿ばね２３により、蓋部材２２方向に付勢されているので、回転部材２０の着脱が容易に行える。
【００３３】
把手軸８は、回転部材２０に立設された棒状部材であり、回転部材２０の回転軸芯Ｘに対して偏芯した軸芯Ｙ１に沿って設けられている。把手軸８は、図５に示すように、回転部材２０の背面側から把手軸８の基端部に向けてかしめ部材２５が装着されており、かしめ部材２５により回転部材２０に回転不能に固定されている。
【００３４】
蓋部材２２は、図１から図６に示すように、ケース部材２１に装着され、ケース部材２１に収納された回転部材２０を回転不能に押圧固定するためのキャップ形状の部材である。蓋部材２２は、図４から図６に示すように、回転部材２０をケース部材２１に収納したとき、把手軸８の先端部が挿通可能な開口部２２ａを有している。開口部２２ａの周縁部には、回転部材２０の表面を押圧可能な環状の押圧部２２ｂが形成されている。蓋部材２２の内周部には、ケース部材２１の雄ねじ部２１ｂに螺合可能な雌ねじ部２２ｃが形成されている。蓋部材２２の外周部には、蓋部材２２を回転操作するためにローレット加工が施された操作部２２ｄが形成されている。また、図６に示すように、蓋部材２２の外径Ａは、回転軸芯Ｘ周辺のハンドルアーム６の幅長Ｂより大径に形成されている。このため、回転部材２０に装着される把手軸８の回転半径を大きくできる。
【００３５】
ハンドル把手７は、図１から図４に示すように、内周部が把手軸８に回転自在に支持された金属製であり、外周部が３次元曲面を有する合成樹脂製の部材である。ハンドル把手７は、外周面が掌に沿うような略卵型形状に形成されており、釣人が把持したときに力を入れやすいものになっている。ハンドル把手７は、把手軸８を蓋部材２２の開口部２２ａに挿通した後、把手軸８に固定されている。
【００３６】
このハンドル組立体２を組み立てるには、図４に示すように、ハンドルアーム６の先端にケース部材２１をねじ部材２４により固定する。ハンドルアーム６に固定されたケース部材２１に、皿ばね２３と、把手軸８がかしめ固定された回転部材２０とを装着する。次に、回転部材２０を回転させ、把手軸８が所望の位置にきたとき蓋部材２２をケース部材２１にねじ込んで回転部材２０を回転不能に固定する。この状態で、把手軸８にハンドル把手７を回転可能に装着する。ここでは、図１から図３に示すように、把手軸８の軸芯Ｙ１は、ハンドル軸３０の回転軸芯Ｈから最も離反したところに位置しており、ハンドル軸３０の回転軸芯Ｈと把手軸８の軸芯Ｙ１との間の距離であるハンドル長さＬ１は最も長くなっている。
【００３７】
このようなハンドル組立体２において、ハンドル長さを変更するには、蓋部材２２をケース部材２１に対してねじを緩め、回転部材２０の固定を解除する。次に、回転部材２０を回転させ、把手軸８が所望の位置にきたとき蓋部材２２をケース部材２１にねじ込んで回転部材２０を回転不能に固定する。ここでは、図７及び図８に示すように、把手軸８の軸芯Ｙ２は、ハンドル軸３０の回転軸芯Ｈから最も近接したところに位置しており、ハンドル軸３０の回転軸芯Ｈと把手軸８の軸芯Ｙ２との間の距離であるハンドル長さＬ２は最も短くなっている。
【００３８】
このようなハンドル組立体２では、回転部材２０を所望の位置で固定できるので、回転部材２０を回転させて把手軸８の軸芯を所望の位置にて固定することにより、ハンドル組立体２の操作性を維持しながら、ハンドル長さＬ１からハンドル長さＬ２までの間でハンドル長さを確実に変更することができる。
【００３９】
〔他の実施形態〕
（ａ）  前記実施形態では、ハンドルアーム６の先端側に回転部材２０を設けたが、ハンドル軸３０側に回転部材２０を設けた構成にしてもよい。
本発明の他の実施形態を採用した両軸受リールは、ハンドル組立体２を除く構成は前記実施形態と同様であるので、詳細な説明は省略する。
【００４０】
ハンドル組立体２は、図９及び図１０に示すように、ハンドルアーム６と、ハンドルアーム６の基端にねじ部材２４により回転不能に取り付けられたケース部材２１と、ハンドル軸３０（第２軸部の一例）の回転軸芯Ｈ１に沿った回転軸芯Ｘに対して偏芯した位置にハンドル軸３０の先端が回転不能に装着されケース部材２１に対して回転可能な回転部材２０と、ケース部材２１に装着され回転部材２０を複数の位置で回転不能に押圧固定する蓋部材２２と、ケース部材２１と回転部材２０との間に配置された皿ばね２３と、ハンドルアーム６の先端にハンドル軸３０の回転軸芯Ｈに沿った軸芯Ｙに沿って立設された把手軸８（第１軸部の一例）と、把手軸８に回転自在に支持されたハンドル把手７とを有している。ハンドル軸３０の先端には、図１０に示すように、雄ねじ部３０ｃが形成されており、雄ねじ部３０ｃを回転部材２０に形成された雌ねじ部２０ｂに螺合し、貫通した雄ねじ部３０ｃにナット部材２６を螺合させることにより固定している。ここでは、図９に示すように、ハンドル軸３０の回転軸芯Ｈ１は、把手軸８の軸芯Ｙから最も離反したところに位置しており、ハンドル軸３０の回転軸芯Ｈ１と把手軸８の軸芯Ｙとの間の距離であるハンドル長さＬ１は最も長くなっている。
【００４１】
このようなハンドル組立体２において、ハンドル長さを変更するには、蓋部材２２をケース部材２１に対してねじを緩め、回転部材２０の固定を解除する。次に、回転部材２０を回転させ、ハンドル軸３０が所望の位置にきたとき蓋部材２２をケース部材２１にねじ込んで回転部材２０を回転不能に固定する。ここでは、図１１及び図１２に示すように、ハンドル軸３０の回転軸芯Ｈ２は、把手軸８の軸芯Ｙから最も近接したところに位置しており、ハンドル軸３０の回転軸芯Ｈ２と把手軸８の軸芯Ｙとの間の距離であるハンドル長さＬ２は最も短くなっている。
【００４２】
このようなハンドル組立体２では、前記実施形態と同様に、回転部材２０を所望の位置で固定できるので、回転部材２０を回転させてハンドル軸３０の軸芯を所望の位置にて固定することにより、ハンドル組立体２の操作性を維持しながら、ハンドル長さＬ１からハンドル長さＬ２までの間でハンドル長さを確実に変更することができる。
【００４３】
（ｂ）  前記実施形態では、回転部材２０は、略円錐台形状部材であったが、図１３から図１５に示すように、板状のアーム部材であってもよい。
本発明の他の実施形態を採用した両軸受リールは、ハンドル組立体２を除く構成は前記実施形態と同様であるので、詳細な説明は省略する。
【００４４】
ハンドル組立体２は、図１３から図１５に示すように、ハンドル軸３０（第１軸部の一例）の先端に回転不能に装着されたハンドルアーム６と、ハンドルアーム６の先端にハンドル軸３０の回転軸芯Ｈに沿った回転軸芯Ｘに対して回転可能な回転部材２０と、回転部材２０をハンドルアーム６に固定するためのボルト部材２７及びナット部材２８と、回転部材２０の回転軸芯Ｘに対して偏芯した位置にハンドル軸３０の回転軸芯Ｈに沿った軸芯Ｙ１に沿って立設された把手軸８（第２軸部の一例）と、把手軸８に回転自在に支持されたハンドル把手７とを有している。
【００４５】
ハンドルアーム６は、ハンドル軸３０の径方向に延びる平板状の金属製の部材である。ハンドルアーム６は、ハンドル軸３０の先端に形成された面取り部３０ａに回転不能に係止されており、固定ナット３０ｂによりハンドル軸３０に着脱自在に固定されている。ハンドルアーム６は、固定部分６ａからハンドル把手７の基端部に向かう途中の第１位置６ｂでリール本体１から離反する方向に屈曲している。また、ハンドルアーム６は、第１位置６ｂからハンドル把手７の基端部に向かう途中の第２位置６ｃで第１位置６ｂと逆方向に屈曲しており、第２位置６ｃでの屈曲角度は第１位置６ｂでの屈曲角度と同一である。このため、ハンドルアーム６の第１位置６ｂまでの部分と第２位置６ｃから先端部までの部分とが平行に配置される。
【００４６】
回転部材２０は、図１３から図１５に示すように、回転軸芯Ｘに対して回転可能にハンドルアーム６の先端に装着されている。回転部材２０は、ハンドル軸３０の径方向に延びる平板状の金属製のアーム部材である。回転部材２０は、固定部分２０ｃからハンドル把手７の基端部に向かう途中の第１位置２０ｄでリール本体１に近づく方向に屈曲している。また、回転部材２０は、第１位置２０ｄからハンドル把手７の基端部に向かう途中の第２位置２０ｅで第１位置２０ｄと逆方向に屈曲しており、第２位置２０ｅでの屈曲角度は第１位置２０ｄでの屈曲角度と同一である。このため、ハンドルアーム６の第１位置２０ｄまでの部分と第２位置２０ｅから先端部までの部分とが平行に配置される。
【００４７】
回転部材２０は、ハンドルアーム６の先端にリール本体１側からボルト部材２７を挿通し、ボルト部材２７の先端部に形成された雄ねじにナット部材２８を締結することによりハンドルアーム６に固定されている。ボルト部材２７は、図４に示すように、大径の頭部２７ａと、外周に雄ねじが形成された雄ねじ部２７ｂとを有している。ハンドルアーム６の先端のリール本体１側には非円形の凹部６ｄが形成されており、ボルト部材２７の頭部２７ａの一部が回転不能に収納される。また、ボルト部材２７の雄ねじ部２７ｂは、ハンドルアーム６及び回転部材２０を貫通し、貫通した雄ねじ部２７ｂの先端部にナット部材２８の雌ねじ部２８ａを螺合させることにより、回転部材２０をハンドルアーム６に回転不能に固定されている。また、ハンドルアーム６及び回転部材２０は、図１４及び図１５に示すように、ハンドルアーム６及び回転部材２０の対向する面にそれぞれ形成され、放射状のセレーションからなる凹凸部６ｅ及び凹凸部２０ｆを有している（図１５では凹凸部２０ｆのみ図示）。ここでは、ハンドルアーム６の凹凸部６ｅに回転部材２０の凹凸部２０ｆをセレーション係合することにより、回転部材２０を回転位置を固定できる。回転部材２０の他端部には、回転部材２０の回転軸芯Ｘに対して偏芯した軸芯Ｙ１に沿って把手軸８が装着されている。ここでは、把手軸８の軸芯Ｙ１は、ハンドル軸３０の回転軸芯Ｈから最も離反したところに位置しており、ハンドル軸３０の回転軸芯Ｈと把手軸８の軸芯Ｙ１との間の距離であるハンドル長さＬ１は最も長くなっている。
【００４８】
このようなハンドル組立体２において、ハンドル長さを変更するには、まずボルト部材２７を回転不能な状態に維持した状態でナット部材２８を緩め、回転部材２０の固定を解除する。次に、回転部材２０を回転させ、把手軸８が所望の位置にきたときナット部材２８を締め付け回転部材２０を回転不能に固定する。ここでは、図１６に示すように、把手軸８の軸芯Ｙ２は、ハンドル軸３０の回転軸芯Ｈから最も近接したところに位置しており、ハンドル軸３０の回転軸芯Ｈと把手軸８の軸芯Ｙ２との間の距離であるハンドル長さＬ２は最も短くなっている。
【００４９】
このようなハンドル組立体２では、前記実施形態と同様に、回転部材２０を所望の位置で固定できるので、回転部材２０を回転させて把手軸８の軸芯を所望の位置にて固定することにより、ハンドル組立体２の操作性を維持しながら、ハンドル長さＬ１からハンドル長さＬ２までの間で容易な構成でハンドル長さを確実に変更することができる。
なお、回転部材２０は、板状のアーム部材であるので、従来のハンドルアームを転用することができる。
【００５０】
（ｃ）  前記実施形態では、ケース部材２１に収納された回転部材２０を蓋部材２２を装着することにより回転不能に押圧固定していたが、回転部材２０を固定する手段はこれに限定されるものではない。また、回転部材２０の固定手段として、皿ばね２３を有していない構成にしてもよい。また、回転部材２０の凹凸部２０ａ及びケース部材２１の凹凸部２１ａの数は任意に設定できる。
【００５１】
（ｄ）  前記実施形態では、両軸受リールを例にあげて説明したが、これに限定されるものではなく、スピニングリールや片軸受リール等の他のあらゆる釣り用リールにも本発明を適用できる。また、シングルハンドルタイプのリールに限定されず、ダブルハンドルタイプのリールにも本発明を適用できる。
【００５２】
本発明の他の実施形態を採用したスピニングリールは、図１７に示すように、釣竿に装着され、釣竿の軸方向に沿う軸回りに釣り糸を巻き取るリールであって、ハンドル組立体１０１を有するリール本体１０２と、ロータ１０３と、スプール１０４とを備えている。ロータ１０３は、リール本体１０２の前部に回転自在に支持されており、釣り糸をスプール１０４に巻き付けるためのものである。スプール１０４は、釣り糸を外周面に巻き取るものであり、ロータ１０３の前部に前後移動自在に配置されている。
【００５３】
ハンドル組立体１０１は、図示しないマスターギアが設けられたハンドル軸１３０（第１軸部の一例）に装着される部材であり、ハンドル軸１３０に装着されるハンドルアーム１０６と、ハンドルアーム１０６の先端にハンドル軸１３０の回転軸芯Ｈに沿った回転軸芯Ｘに対して回転可能な回転部材１２０と、回転部材１２０を所望の位置で固定するための図示しないロック手段と、回転部材１２０の回転軸芯Ｘに対して偏芯した位置にハンドル軸１３０の回転軸芯Ｈに沿った軸芯Ｙ１に沿って立設された把手軸１０８（第２軸部の一例）と、把手軸１０８に回転自在に支持されたハンドル把手１０７とを有している。ここでは、把手軸１０８の軸芯Ｙ１は、ハンドル軸１３０の回転軸芯Ｈから最も離反したところに位置しており、ハンドル軸１３０の回転軸芯Ｈと把手軸１０８の軸芯Ｙ１との間の距離であるハンドル長さＬ１は最も長くなっている。
【００５４】
このようなハンドル組立体１０１において、ハンドル長さを変更するには、図示しないロック手段を解除し、回転部材１２０を回転させ、把手軸１０８が所望の位置にきたときに回転部材１２０を回転不能に固定する。ここでは、図１８に示すように、把手軸１０８の軸芯Ｙ２は、ハンドル軸１３０の回転軸芯Ｈから最も近接したところに位置しており、ハンドル軸１３０の回転軸芯Ｈと把手軸１０８の軸芯Ｙ２との間の距離であるハンドル長さＬ２は最も短くなっている。
【００５５】
このようなハンドル組立体１０１では、前記実施形態と同様に、回転部材１２０を所望の位置で固定できるので、回転部材１２０を回転させて把手軸１０８の軸芯を所望の位置にて固定することにより、ハンドル組立体１０１の操作性を維持しながら、ハンドル長さＬ１からハンドル長さＬ２までの間でハンドル長さを確実に変更することができる。
【００５６】
【発明の効果】
本発明によれば、釣り用リールのハンドル組立体において、回転部材を複数の位置で固定する固定手段を有しているので、ハンドルの操作性を維持しながら、ハンドル長さを確実に変更できる。
【図面の簡単な説明】
【図１】本発明の一実施形態を採用した両軸受リールの斜視図。
【図２】前記両軸受リールの断面図。
【図３】前記両軸受リールの側面図。
【図４】ハンドル組立体の分解斜視図。
【図５】前記ハンドル組立体の拡大断面図。
【図６】前記ハンドル組立体の拡大側面図。
【図７】回転部材を回転させたときの図２に相当する図。
【図８】前記回転部材を回転させたときの図５に相当する図。
【図９】他の実施形態の図２に相当する図。
【図１０】他の実施形態の図５に相当する図。
【図１１】他の実施形態の図７に相当する図。
【図１２】他の実施形態の図８に相当する図。
【図１３】他の実施形態の図２に相当する図。
【図１４】他の実施形態の図５に相当する図。
【図１５】他の実施形態の図３に相当する図。
【図１６】回転部材を回転させたときの図１５に相当する図。
【図１７】本発明の他の実施形態を採用したスピニングリールの側面図。
【図１８】回転部材を回転させたときの図１７に相当する図。
【符号の説明】
１  リール本体
２  ハンドル組立体
６  ハンドルアーム
７  ハンドル把手
８  把手軸
２０  回転部材
２０ａ  凹凸部
２０ｂ  雌ねじ部
２１  ケース部材
２１ａ  凹凸部
２１ｂ  雄ねじ部
２２  蓋部材
２２ａ  開口部
２２ｂ  押圧部
２２ｃ  雌ねじ部
２２ｄ  操作部
２３  皿ばね
２４  ねじ部材
２５  かしめ部材
２６  ナット部材
２７  ボルト部材
２８  ナット部材
３０  ハンドル軸
３０ｃ  雄ねじ部
Ａ  蓋部材の外径
Ｂ  ハンドルアームの幅長
Ｈ、Ｈ１、Ｈ２  ハンドル軸の回転軸芯
Ｌ１、Ｌ２  ハンドル長さ
Ｘ  回転部材の回転軸芯
Ｙ、Ｙ１、Ｙ２  把手軸の軸芯
【図１】
2005013155.tif 000003
【図２】
2005013155.tif 000004
【図３】
2005013155.tif 000005
【図４】
2005013155.tif 000006
【図５】
2005013155.tif 000007
【図６】
2005013155.tif 000008
【図７】
2005013155.tif 000009
【図８】
2005013155.tif 000010
【図９】
2005013155.tif 000011
【図１０】
2005013155.tif 000012
【図１１】
2005013155.tif 000013
【図１２】
2005013155.tif 000014
【図１３】
2005013155.tif 000015
【図１４】
2005013155.tif 000016
【図１５】
2005013155.tif 000017
【図１６】
2005013155.tif 000018
【図１７】
2005013155.tif 000019
【図１８】
2005013155.tif 000020